(57)【要約】      （修正有）【課題】口腔内の歯間を清掃するために用いられ、再利用できるフロスタイプ歯清掃装置を提供する。【解決手段】フロスタイプ歯清掃装置１は、把持部１１と、把持部１１から延伸して形成されたブラケット部１２と、ブラケット部１２の平面に形成されたフロス位置決め部１３と、を含む。ブラケット部１２には、第１溝１２１と、第２溝１２２と、第１溝１２１及び第２溝１２２の間に形成された中空状の歯清掃部１２３とが形成されている。フロス位置決め部１３は、裸線フロスの線段前端及び線段後端を巻いて固定するように用いられる。フロスを使って歯間を清掃しようとするユーザーが、フロスを素早く巻いて、溝の方向に沿ってフロスをピンと張って固定し、歯間を清掃することができる。使い終わると、フロスを素早く取り除いて廃棄することができ、再利用できる効果を実現する。【選択図】図１
0003234616.tif 000002
【実用新案登録請求の範囲】
【請求項１】
裸線フロスを巻いて口腔内の歯間を清掃するためのフロスタイプ歯清掃装置であって、
把持部と、
前記把持部から延伸して形成されたブラケット部と、
前記ブラケット部の平面に形成されたフロス位置決め部と、を含み、
前記ブラケット部には、第１溝と、第２溝と、前記第１溝及び前記第２溝の間に形成された中空状の歯清掃部とが形成されており、
前記フロス位置決め部は、前記裸線フロスの線段前端及び線段後端を巻いて固定するように用いられることを特徴とする、フロスタイプ歯清掃装置。
【請求項２】
前記フロス位置決め部は、柱体及び制限キャップからなり、
前記柱体は、前記ブラケット部と結合し、前記ブラケット部の平面から突き出ており、
前記制限キャップは、前記柱体に組み付けるように用いられ、前記制限キャップが前記柱体に組み付けると、前記制限キャップのプレス面は前記ブラケット部の平面に近寄せられていることを特徴とする、請求項１に記載のフロスタイプ歯清掃装置。
【請求項３】
裸線フロスを巻いて口腔内の歯間を清掃するためのフロスタイプ歯清掃装置であって、
第１片体と、
第１貫通孔が形成されている第２片体と、
第２貫通孔が形成されている第３片体と、
制限キャップと、を含み、
前記第１片体には、把持部と、前記把持部から延伸して形成されたブラケット部と、前記第１片体の平面から突き出ている凸柱とが形成されており、
組み立てる際、前記第１片体の前記凸柱は、前記第３片体の前記第２貫通孔及び前記第２片体の前記第１貫通孔を突き抜け、前記第１片体、前記第３片体、及び前記第２片体を相互に固定して組み立てを完了し、前記第３片体は、前記裸線フロスを通過させるために、前記第１片体及び前記第２片体の間に凹状の溝を形成し、
前記制限キャップは、前記第２片体の前記第１貫通孔から突き出ている前記凸柱に組み付け、組み付けた前記制限キャップは、前記裸線フロスの線段前端及び線段後端を巻いて固定するように用いられることを特徴とする、フロスタイプ歯清掃装置。
【請求項４】
前記凸柱は、前記第１片体から独立して形成してもよく、組み合わせる際に、前記第１片体、前記第２片体、及び前記第３片体を突き抜けることを特徴とする、請求項３に記載のフロスタイプ歯清掃装置。
【請求項５】
前記ブラケット部の平面には、線段制限溝が形成されており、引き出された後の前記裸線フロスの線段は、先に前記線段制限溝を通過することによって方向を制限し、前記線段はより順調に前記第１溝に引っ張られることができることを特徴とする、請求項１又は３に記載のフロスタイプ歯清掃装置。
【請求項６】
前記把持部の下端は、平面に固定するように、置き座の置き孔の中にさらに組み付けることができることを特徴とする、請求項１又は３に記載のフロスタイプ歯清掃装置。
【請求項７】
前記置き座の外部には、組み付け部が形成されており、前記組み付け部は、蓋体の対応の組み付け部に組み付けるために用いられることを特徴とする、請求項６に記載のフロスタイプ歯清掃装置。
【請求項８】
前記組み付け部及び前記対応の組み付け部は、スレッドのペア、バックル、スナップポイントのいずれか、又はその組み合わせであることを特徴とする、請求項７に記載のフロスタイプ歯清掃装置。
【請求項９】
前記制限キャップは、弾性を有し、ゴム又はシリカゲルで作られ、組み付けると、前記制限キャップは前記ブラケット部の平面に押し付けられていることを特徴とする、請求項１又は３に記載のフロスタイプ歯清掃装置。
【請求項１０】
前記制限キャップ及び前記凸柱は、一体不可分であることを特徴とする、請求項３に記載のフロスタイプ歯清掃装置。
【考案の詳細な説明】
【技術分野】
【０００１】
本実用新案は、フロスタイプ歯清掃装置に関し、特に、フロスを取り付けてピンと張ることができ、ユーザーが再利用できるフロスタイプ歯清掃装置に関する。
【背景技術】
【０００２】
歯を清掃する一般的な方法は、食後、就寝前、起床後に、歯ブラシを使用して口腔及び歯を清掃することである。自宅やオフィスなどの固定された場所にいる場合は、通常、歯ブラシを用意するのは便利であるが、外出する場合は、歯ブラシを持ち運ぶのはあまり適していない。また、例えば、一般的なレストランにおいては、お客様が食後に手軽に歯間を清掃することができるように、爪楊枝又はデンタルフロスを提供する場合があっても、これらはすべて使い捨ての消耗品である。特に、従来のフロスの主要な構造はプラスチック系の糸楊枝本体及びフロスであるため、使い捨ての場合は、使用コストが高いだけでなく、環境汚染も確実に引き起こす。
【０００３】
もう一つの状況は、ユーザーが裸線のフロスを使って歯を清掃する際に、指でフロスを巻く必要があるため、指が食べかす又は唾液に直接触れることが多く、ユーザーにとっては非常に不便である。従って、いかにフロスと糸楊枝それぞれの利点を結合する歯清掃用品を設計するかは、解決すべき課題である。
【０００４】
前述の通り、いくつかの発明者がこの課題に対応して、様々な再利用でき、環境に優しい糸楊枝を提案した。例えば、台湾特許第ＴＷＩ６０９６７７号の「デンタルフロス装置」、中国特許公告番号第ＣＮ２５６９７６１Ｙ号の「デンタルフロス歯清掃装置」、米国特許公告番号第ＵＳ６８８６５７０Ｂ２号の「Ｈｙｂｒｉｄ  ｄｅｎｔａｌ  ｆｌｏｓｓｅｒ  ａｎｄ  ｔｏｏｔｈｂｒｕｓｈ」などである。しかし、前記の各種の発明を見ると、構造はまだ複雑である。製造が難しいだけでなく、口腔内で使用した後、過度に複雑な構造は細菌の付着や繁殖を特に起こしやすい。ユーザーが効果的な消毒をせずに再度使用すると、かえって口から病気になりやすくなる。
【０００５】
上記の状況及び課題を踏まえ、本考案者は口腔衛生製品の設計における長年の経験に基づいて、より実用的な製品を設計するように、糸楊枝の使用状況及び構造に関する研究及び分析を行っていた。従って、本実用新案の主要な目的は、持ち運び及び実施が容易であり、環境に優しく、消毒しやすく、口腔衛生ニーズを満たすフロスタイプ歯清掃装置を提供することである。
【先行技術文献】
【特許文献】
【０００６】
【特許文献１】台湾特許第ＴＷＩ６０９６７７号明細書
【特許文献２】中国特許公告番号第ＣＮ２５６９７６１Ｙ号明細書
【特許文献３】米国特許公告番号第ＵＳ６８８６５７０Ｂ２号明細書
【考案の概要】
【考案が解決しようとする課題】
【０００７】
本実用新案は、ユーザーが口腔内の歯間を清掃できるためのフロスタイプ歯清掃装置であり、持ち運び及び実施が容易であるという特性を有し、さらに、裸線フロスとの併用は環境保護のニーズを満たす。本実用新案のフロスタイプ歯清掃装置は、肌に優しいシリカゲル、ゴム系、又は細菌が付着繁殖しにくいナノ材料で作られることができる。その構造は主に、把持部と、把持部から延伸したブラケット部と、前記ブラケット部に形成され、フロスをピンと張るための中空状の歯清掃部と、フロスを通過させるための溝と、裸線フロスを固定するためのフロス位置決め部とが形成されている。これにより、実施する際に、ユーザーは線段前端をフロス位置決め部に巻いて最初の位置決めを完了し、次に、溝に沿って、裸線フロスを溝、ブラケット部を通過させてフロス位置決め部に戻り、フロス位置決め部に再度巻いて最後の位置決めを完了することによって、裸線フロスをブラケット部にピンと張って固定することができる。さらに、歯清掃部に露出している裸線フロスは、歯間清掃に使用することができる。使用後に、ユーザーは裸線フロスを取り除けばよい。本実用新案は、実施ステップが簡易なだけでなく、再利用という環境保護のニーズにも満たし、また、構造がシンプルなためお手入れしやすい。
【課題を解決するための手段】
【０００８】
本実用新案は、裸線フロスを巻いて口腔内の歯間を清掃するためのフロスタイプ歯清掃装置を提供する。前記フロスタイプ歯清掃装置は、把持部と、前記把持部から延伸して形成されたブラケット部と、前記ブラケット部の平面に形成されたフロス位置決め部とを含む。前記ブラケット部には、第１溝と、第２溝と、前記第１溝及び前記第２溝の間に形成された中空状の歯清掃部とが形成されている。前記フロス位置決め部は、前記裸線フロスの線段前端及び線段後端を巻いて固定するように用いられる。
【０００９】
前記フロス位置決め部は、柱体及び制限キャップからなる。前記柱体は、前記ブラケット部と結合し、前記ブラケット部の平面から突き出ている。前記制限キャップは、前記柱体に組み付けるように用いられ、前記制限キャップを前記柱体に組み付けると、前記制限キャップのプレス面は前記ブラケット部の平面に近寄せられている。
【００１０】
本実用新案は、裸線フロスを巻いて口腔内の歯間を清掃するためのもう１つのフロスタイプ歯清掃装置を提供する。前記フロスタイプ歯清掃装置は、第１片体と、第１貫通孔が形成されている第２片体と、第２貫通孔が形成されている第３片体と、制限キャップとを含む。前記第１片体には、把持部と、前記把持部から延伸して形成されたブラケット部と、前記第１片体の平面から突き出ている凸柱とが形成されている。
【００１１】
組み立てる際、前記第１片体の前記凸柱は、前記第３片体の前記第２貫通孔及び前記第２片体の前記第１貫通孔を突き抜け、前記第１片体、前記第３片体、及び前記第２片体を相互に固定して組み立てを完了し、前記第３片体は、前記裸線フロスを通過させるために、前記第１片体及び前記第２片体の間に凹状の溝を形成する。前記制限キャップは、前記第２片体の前記第１貫通孔から突き出ている前記凸柱に組み付け、組み付けた前記制限キャップは、前記裸線フロスの線段前端及び線段後端を巻いて固定するように用いられる。
【００１２】
前記柱体は、前記第１片体から独立して形成してもよく、組み合わせる際に、前記第１片体、前記第２片体、及び前記第３片体を突き抜ける。
【００１３】
前記ブラケット部の平面には、線段制限溝が形成されており、引き出された後の前記裸線フロスの線段は、先に前記線段制限溝を通過することによって方向を制限し、前記線段はより順調に前記第１溝に引っ張られることができる。
【００１４】
前記把持部の下端は、平面に固定するように、置き座の置き孔の中にさらに組み付けることができる。
【００１５】
前記置き座の外部には、組み付け部が形成されており、前記組み付け部は、蓋体の対応の組み付け部に組み付けるために用いられる。
【００１６】
前記組み付け部及び前記対応の組み付け部は、スレッドのペア、バックル、スナップポイントのいずれか、又はその組み合わせである。
【００１７】
前記制限キャップは、弾性を有し、ゴム又はシリカゲルで作られ、組み付けると、前記制限キャップは前記ブラケット部の平面に押し付けられている
【００１８】
前記制限キャップ及び前記凸柱は、一体不可分である。
【図面の簡単な説明】
【００１９】
【図１】本実用新案の立体図である。
【図２】本実用新案の構造を示す図一である。
【図３】本実用新案の構造を示す図二である。
【図４】本実用新案の構造を示す図三である。
【図５】本実用新案の実施例を示す図一である。
【図６】本実用新案の実施例を示す図二である。
【図７】本実用新案の他の好ましい実施例1を示す。
【図８】本実用新案の他の好ましい実施例２を示す。
【図９】本実用新案の他の好ましい実施例３を示す。
【図１０】本実用新案の他の好ましい実施例４を示す。
【図１１】本実用新案の他の好ましい実施例５を示す。
【考案を実施するための形態】
【００２０】
図１を参照し、図１は本実用新案の立体図である。図に示すように、本実用新案に係るフロスタイプ歯清掃装置１は主に、把持部１１と、ブラケット部１２と、フロス位置決め部１３とからなる。前記把持部１１は、主にユーザーが手で取れるように用いられる。前記ブラケット部１２は、把持部１１から延伸して形成され、把持部１１の上方に位置する。ブラケット部１２には、第１溝１２１と、第２溝１２２と、前記第１溝１２１及び前記第２溝１２２の間に形成された歯清掃部１２３とが形成されている。図を参照し、前記歯清掃部１２３は、ブラケット部１２の本体と相対して中空状（位置Ａ）に形成されていることによって、裸線フロスＬを通過させ、歯間清掃するための作業スペースの歯清掃部１２３を形成する。再度図を参照し、フロス位置決め部１３は、ブラケット部１２の平面に位置し、主に、実施の際に、裸線フロスＬをピンと張って固定できるために用いられる。
【００２１】
図２を参照し、図２は本実用新案の構造を示す図一である。図に示すように、本実用新案に係るフロス位置決め部１３は主に、柱体１３１及び制限キャップ１３２からなる。柱体１３１はブラケット部１２と結合することができ、ブラケット部１２の平面Ｂから突き出ている。前記制限キャップ１３２自体は弾性（又は、わずかに弾性）を有してもよく、好ましい材料は、例えば、ゴム材料、シリカゲル材料であってもよい。従って、制限キャップ１３２はゴム又はシリカゲル材料で作られてもよい。前記制限キャップ１３２は柱体１３１に組み付けることができ、制限キャップが柱体に組み付けられると、制限キャップ１３２のプレス面１３２１はブラケット部１２の平面Ｂに近寄せられている。図３を参照し、図３は本実用新案の構造を示す図二である。図に示すように、制限キャップ１３２が柱体１３１に組み付けた後、プレス面１３２１はブラケット部１２の平面Ｂに非常に近寄せられており、プレス面１３２１と平面Ｂとの間には相互に接触しているフロス位置決め部１３を形成する。
【００２２】
図４を参照し、図４は本実用新案の構造を示す図三であり、本実用新案の正面図である。図に示すように、本実用新案に係るフロスタイプ歯清掃装置１のブラケット部１２には、第１溝１２１と、中空状（位置Ａ）の歯清掃部１２３と、第２溝１２２とが形成されている。
【００２３】
続いて、図５を参照し、図５は本実用新案の実施例を示す図一である。図に示すように、ユーザーが本実用新案に係るフロスタイプ歯清掃装置１を使用しようとする場合は、その実施ステップは以下の通りである。
【００２４】
第１ステップ：裸線フロスＬを一定の長さを引き出した後、線段前端Ｌ１を先にフロス位置決め部１３に一回又は複数回巻いて、線段前端Ｌ１を先に制限して片方の固定を完了する。
【００２５】
第２ステップ：線段前端Ｌ１から延伸された裸線フロスＬの線段Ｌ２を第１溝１２１に引っ張り、第１溝１２１に沿って、歯清掃部１２３を通過し、次に第２溝１２２を通過し、フロス位置決め部１３に近づける。
【００２６】
第３ステップ：裸線フロスＬの線段Ｌ２を切り取り、その後端に線段後端Ｌ３が形成され、線段後端Ｌ３をしっかりと引っ張ることによって、裸線フロスＬ全体を歯清掃部１２３にピンと張り、線段後端Ｌ３をフロス位置決め部１３に一回又は複数回巻いて、裸線フロスＬの固定を完了する。
【００２７】
前記第３ステップは、以下のステップに置き換えてもよい。
【００２８】
線段Ｌ２をフロス位置決め部１３に当ててしっかりと引っ張ることによって、裸線フロスＬ全体を歯清掃部１２３にピンと張り、線段Ｌ２をフロス位置決め部１３に一回又は複数回巻いて、裸線フロスＬの固定を完了する。
【００２９】
図６を再度参照し、図６は本実用新案の実施例を示す図二である。上記のように、前記裸線フロスＬを巻いて固定した後、裸線フロスＬ全体も効果的にピンと張られ、実施可能な歯清掃装置を形成する。
【００３０】
図７を参照し、図７は本実用新案の他の好ましい実施例1を示し、本実用新案に係るフロスタイプ歯清掃装置は複数のユニットから組み立ててもよい。図に示すように、実施例に係るフロスタイプ歯清掃装置２は主に、第１片体２１と、第２片体２２と、第３片体２３とから組み立てられる。第１片体２１には、把持部２１１と、前記把持部２１１から延伸して形成されたブラケット部２１２と、第１片体２１の平面から突き出ている凸柱２１３とが形成されている。第２片体２２の外観形状及びサイズは、第１片体２１の上方のブラケット部２１２と同じであり、さらに、第１貫通孔２２１が形成されている。第３片体２３の外観形状は第１片体２１の上方のブラケット部２１２と同じであるが、サイズは第１片体２１よりわずかに小さく、さらに、第２貫通孔２３１が形成されている。組み立てる際、第１片体２１の凸柱２１３は、第３片体２３の第２貫通孔２３１及び第２片体２２の第１貫通孔２２１を突き抜け、第１片体２１、第３片体２３、及び第２片体２２を相互に近寄せて、フロスタイプ歯清掃装置２の組み立てを完了する。また、第３片体２３のわずかに小さいサイズによって、第３片体２３は、フロスを通過させるために、第１片体２１と第２片体２２との間に凹状の溝を形成する。最後に、制限キャップ２４を第２片体２２の第１貫通孔２２１から突き出ている凸柱２１３に組み付けると、裸線フロスと組み合わせて使用できる。前記第１片体２１の平面に突き出ている凸柱２１３は、独立して形成してもよく、組み合わせる際はそのまま第１片体２１、第２片体２２、及び第３片体２３を突き抜けて、３つの片体を固定する。
【００３１】
図８を参照し、図８は本実用新案の他の好ましい実施例２を示す。図に示すように、実施例に係るフロスタイプ歯清掃装置３は、その全体は一体形成されているか複数の片体から構成されているかにかかわらず、ブラケット部３１の平面には、線段制限装置３２と組み合わせて使用できる組み付け孔３１１が形成されている。前記線段制限装置３２は、柱体３２１及び制限キャップ３２２からなる。実施の際に、先に線段制限装置３２の柱体３２１を組み付け孔３１１に組み付け、制限キャップ３２２に力を加えることによって、制限キャップ３２２はブラケット部３１の平面に当てて完了する。裸線フロスと組み合わせて使用する方法は上記の通りであり、ここでは繰り返さない。
【００３２】
図９を参照し、図９は本実用新案の他の好ましい実施例３を示す。図に示すように、本実用新案に係るフロスタイプ歯清掃装置１（又は本実用新案の他の実施例に係るフロスタイプ歯清掃装置２、フロスタイプ歯清掃装置３）は、ブラケット部１２の平面上の溝（第１溝１２１又は第２溝１２２）と隣接する位置に線段制限溝１２４を形成してもよい。そのため、裸線フロスＬの線段Ｌ２は、フロス位置決め部１３から引き出された後、先に線段制限溝１２４を通過することによって方向を制限し、線段Ｌ２はより順調に第１溝１２１に引っ張られることができる。
【００３３】
図１０を参照し、図１０は本実用新案の他の好ましい実施例４を示す。図に示すように、本実用新案は、上方に置き孔４１が形成されている置き座４をさらに提供する。置き孔４１は、ユーザーが本実用新案に係るフロスタイプ歯清掃装置１の一端の把持部１１を、置き座４の置き孔４１の中に挿入することによって、未使用状態のフロスタイプ歯清掃装置１は直立に置かれることができるため、ブラケット部１２が平面に倒れて置かれることによって汚れ物に接触することを防げる。
【００３４】
図１１を参照し、図１１は本実用新案の他の好ましい実施例５を示す。前の実施例に係る置き座４の外観には、組み付け部４２がさらに形成されている。また、組み付け部４２は、対応の組み付け部５１が形成されている蓋体５と組み合わせることができる。これにより、本実用新案に係るフロスタイプ歯清掃装置１はカバーされ、完全な収納及び持ち運びやすいという機能を実現する。前記置き座４の取り付け部４２及び蓋体５の対応の取り付け部５１は、一対の相互に契合できるスレッドのペア、バックル、スナップポイント等の構造であってよいが、これらに限定されない。
【００３５】
前述の通り、本実用新案の構造はシンプルであり、お手入れしやすく、実施ステップは容易であり、操作しやすく、さらに、裸線フロスと組み合わせて使用することによって環境保護のニーズを満たす。従って、本実用新案を実施した後、持ち運び及び実施が容易であり、環境に優しく、消毒しやすく、口腔衛生ニーズを満たすフロスタイプ歯清掃装置を提供する目的を確実に達成することができる。
【００３６】
上記実施例は、本実用新案のすべての実施例ではなく、一部に過ぎないことは明確である。本実用新案の実施例に基づいて、当業者が創造的な作業をせずに得られた他のすべての実施例は、本実用新案の保護範囲に含まれる。
【符号の説明】
【００３７】
１        フロスタイプ歯清掃装置
１１      把持部
１２      ブラケット部
１２１    第１溝
１２２    第２溝
１２３    歯清掃部
１２４    線段制限溝
１３      フロス位置決め部
１３１    柱体
１３２    制限キャップ
１３２１  プレス面
Ａ        位置
Ｂ        平面
Ｌ        裸線フロス
Ｌ１      線段前端
Ｌ２      線段
Ｌ３      線段後端
２        フロスタイプ歯清掃装置
２１      第１片体
２１１    把持部
２１２    ブラケット部
２１３    凸柱
２２      第２片体
２２１    貫通孔
２３      第３片体
２３１    貫通孔
２４      制限キャップ
３        フロスタイプ歯清掃装置
３１      ブラケット部
３１１    組み付け孔
３２      線段制限装置
３２１    柱体
３２２    制限キャップ
４        置き座
４１      置き孔
４２      組み付け部
５        蓋体
５１      対応の組み付け部
【図１】
0003234616.tif 000003
【図２】
0003234616.tif 000004
【図３】
0003234616.tif 000005
【図４】
0003234616.tif 000006
【図５】
0003234616.tif 000007
【図６】
0003234616.tif 000008
【図７】
0003234616.tif 000009
【図８】
0003234616.tif 000010
【図９】
0003234616.tif 000011
【図１０】
0003234616.tif 000012
【図１１】
0003234616.tif 000013